(57)【要約】【課題】シンク内に設置した場合にも持ち運びがしやすく、使い勝手の良い水切りかごを提供する。【解決手段】シンクの内部に設けられるとともに持ち運ぶことが可能な水切りかごであって、長手方向に延びるかご部と、かご部の上部に設けられた、把持可能な一対の取っ手部と、を備え、一対の取っ手部は、上面視において、かご部の上方の縁部よりも内側に位置することを特徴とする水切りかご。【選択図】図２
2019129962.tif 000002
【特許請求の範囲】
【請求項１】
シンクの内部に設けられるとともに持ち運ぶことが可能な水切りかごであって、
長手方向に延びるかご部と、
前記かご部の上部に設けられた、把持可能な一対の取っ手部と、
を備え、
前記一対の取っ手部は、上面視において、前記かご部の上方の縁部よりも内側に位置することを特徴とする水切りかご。
【請求項２】
前記一対の取っ手部は、前記長手方向に延びることを特徴とする請求項１記載の水切りかご。
【請求項３】
前記かご部は、外周フレームと、前記外周フレームに略直交する第１線材と、前記外周フレーム及び前記第１線材に略直交する第２線材と、を有する網かごであることを特徴とする請求項１又は２に記載の水切りかご。
【請求項４】
前記一対の取っ手部は、前記かご部に上下動可能に取り付けられていることを特徴とする請求項１〜３のいずれか１つに記載の水切りかご。
【請求項５】
前記縁部のうち、前記一対の取っ手部が設けられている部分の高さは、前記一対の取っ手部が設けられている部分の両端部の高さよりも低いことを特徴とする請求項４記載の水切りかご。
【請求項６】
前記一対の取っ手部は、前記縁部の上端の高さ以下になるように設けられることを特徴とする請求項１〜５のいずれか１つに記載の水切りかご。
【発明の詳細な説明】
【技術分野】
【０００１】
本発明の態様は、一般的に、水きりかごに関する。
【背景技術】
【０００２】
一般的に、シンクの内部には洗浄を終えた食器類やスポンジ等の水を切るため、水切りかごが設けられている。例えば、特許文献１のようにシンクの外縁にフレームが有する係止片を係止させる形で、シンクの内部に水切りかごを設けていることが知られている。シンクの内部に水切りかごを収容する場合、スペースの関係上水切りかごをシンクの内側壁に沿うように載置する。
【先行技術文献】
【特許文献】
【０００３】
【特許文献１】特許第６１６６１６３号
【発明の概要】
【発明が解決しようとする課題】
【０００４】
しかしながら、シンク内を掃除する際に水切りかごの場所を移そうとすると、水切りかごの外周はシンクの内側壁に沿うように設置しているため、取っ手部分が確保しづらく持ち上げづらいという課題がある。
【０００５】
本発明は、かかる課題の認識に基づいてなされたものであり、シンク内に設置した場合にも持ち運びがしやすく、使い勝手の良い水切りかごを提供することを目的とする。
【課題を解決するための手段】
【０００６】
第１の発明は、シンクの内部に設けられるとともに持ち運ぶことが可能な水切りかごであって、長手方向に延びるかご部と、前記かご部の上部に設けられた、把持可能な一対の取っ手部と、を備え、前記一対の取っ手部は、上面視において、前記かご部の上方の縁部よりも内側に位置することを特徴とする水切りかごである。
【０００７】
この水切りかごによれば、取っ手部が、上面視において、かご部の上方の縁部よりも内側に位置しているため、シンクの内側壁に沿うように水切りかごを設置した場合においても、上方から取っ手部にアプローチするためのスペースがあり、水切りかごを持ち上げることが容易となる。従って、シンクの掃除などの際に水切りかごを取り出しやすく、使い勝手が良い。以上のことより、シンク内に設置した場合にも持ち運びがしやすく、使い勝手の良い水切りかごを提供することができる。
【０００８】
第２の発明は、第１の発明において、前記一対の取っ手部は、前記長手方向に延びることを特徴とする水切りかごである。
【０００９】
この水切りかごによれば、水切りかごの長手方向の側面をシンクの内側壁に沿うように設置した場合においても、上方から取っ手部にアプローチするためのスペースがあり、水切りかごを持ち上げることが容易であるため、使い勝手が良い。
【００１０】
第３の発明は、第１又は第２の発明において、前記かご部は、外周フレームと、前記外周フレームに略直交する第１線材と、前記外周フレーム及び前記第１線材に略直交する第２線材と、を有する網かごであることを特徴とする水切りかごである。
【００１１】
この水切りかごによれば、水切れがよく、例えば、食器洗浄機で使用した場合にも、全方向から洗浄することが可能であるため、使い勝手が良い。
【００１２】
第４の発明は、第１〜第３のいずれか１つの発明において、前記一対の取っ手部は、前記かご部に上下動可能に取り付けられていることを特徴とする水切りかごである。
【００１３】
この水切りかごによれば、取っ手部が上下動するため、水切りかごを持ち運びした際に目的の場所へ設置しやすい。例えば、狭い空間に水切りかごを設置する際に、水切りかごの側面を収納空間の側壁に当接させたい場合に、上方からアプローチすることが可能となり、手を収納空間の側壁と水切りかごの側面との間に挟む必要がなく、使い勝手が良い。また、取っ手部を掴む際に、水切りかごの内部に収納されている食器類に手が触れ、持ち運びしにくくなることを抑制できる。さらに、取っ手部が大きく回動しないため、食器などを収納した際に取っ手部が取り出しづらくなることを抑制できる。また、水切りかごの収納空間を有効活用することができる。
【００１４】
第５の発明は、第４の発明において、前記縁部のうち、前記一対の取っ手部が設けられている部分の高さは、前記一対の取っ手部が設けられている部分の両端部の高さよりも低いことを特徴とする水切りかごである。
【００１５】
この水切りかごによれば、取っ手部を上方まで上げる際に、縁部が邪魔になりにくい。また、一対の取っ手部を把持する際に、指を入れるスペースを広くとることができる。従って、より使い勝手が良い。
【００１６】
第６の発明は、第１〜第５のいずれか１つの発明において、前記一対の取っ手部は、前記縁部の上端の高さ以下になるように設けられることを特徴とする水切りかごである。
【００１７】
この水切りかごによれば、可動式の取っ手部が未使用時（収納形態時）に水切りかごとして邪魔にならない位置に収まり、縁部の上端を超えない位置にあるため、作業動線に取っ手部が来ず、作業上邪魔になりにくい。また、水切りかごの上面部が平坦になるため、まな板等を置くことも可能である。従って、より使い勝手が良い。また、取っ手部が突出していないため、意匠面も向上する。
【発明の効果】
【００１８】
本発明の態様によれば、シンク内に設置した場合にも持ち運びがしやすく、使い勝手の良い水切りかごが提供される。
【図面の簡単な説明】
【００１９】
【図１】実施形態に係る水切りかごを設置したシステムキッチンを模式的に表す斜視図である。
【図２】実施形態に係る水切りかごを模式的に表す斜視図である。
【図３】実施形態に係る水切りかごを模式的に表す上面図である。
【図４】実施形態に係る水切りかごの取っ手部の動作を模式的に表す斜視図である。
【図５】実施形態に係る水切りかごの取っ手部の動作を模式的に表す側面図である。
【図６】実施形態に係る水切りかごの変形例を模式的に表す斜視図である。
【図７】実施形態に係る水切りかごの別の変形例を模式的に表す斜視図である。
【発明を実施するための形態】
【００２０】
以下、本発明の実施の形態について図面を参照しつつ説明する。なお、各図面中、同様の構成要素には同一の符号を付して詳細な説明は適宜省略する。  
図１は、実施形態に係る水切りかごを設置したシステムキッチンを模式的に表す斜視図である。  
図１に表したシステムキッチン５００は、カウンタ２００と、食器洗浄機３００と、を備える。カウンタ２００は、シンク２１０を有する。例えば、シンク２１０の後部には、水栓（図示なし）が設けられている。
【００２１】
本願明細書においては、システムキッチン５００の前においてシンク２１０と向き合う使用者からみて手前側を「前方」とし、奥側を「後方」とし、上側を「上方」とし、下側を「下方」とし、右側を「右側方」とし、左側を「左側方」とする。
【００２２】
食器洗浄機３００は、カウンタ２００の下方に設けられている。より具体的には、食器洗浄機３００は、カウンタ２００の下方に組み込まれている。食器洗浄機３００は、筐体３０１と、洗浄槽３０３と、扉３０５と、水切りかご１００と、を有する。筐体３０１は、前面に前開口部３０２を有する。洗浄槽３０３は、上面に上開口部３０４を有し、洗浄槽３０３は、筐体３０１に収容されている収容位置と収容されていない非収容位置との間でスライド移動可能である。扉３０５は、洗浄槽３０３と一体となるように構成されており、洗浄槽３０３が筐体３０１に収容されたときに前開口部３０２を覆うものである。図１に表した矢印Ａ１のように、洗浄槽３０３および扉３０５は、筐体３０１に対して前後方向にスライド移動可能である。
【００２３】
図１に表した矢印Ａ２のように、水切りかご１００は、上開口部３０４を通して洗浄槽３０３に対して出し入れ可能とされている。水切りかご１００は、例えば食器や調理器具などの被洗浄物（図示なし）が収納された状態で洗浄槽３０３に対して出し入れ可能である。そのため、使用者は、汚れた食器（洗浄前の食器）をシンク２１０の内部に設置された状態で水切りかご１００に収納し、汚れた食器が収納された水切りかご１００をそのまま食器洗浄機３００に移動して洗浄することができる。これにより、例えば食器や調理器具などの被洗浄物を１つずつ食器洗浄機３００にセットする手間を削減することができ、従来のように、水切りかご１００が、被洗浄物が収納された状態で洗浄槽３０３に対して出し入れ可能でない場合に比べて、食事の後片付けをより短時間で行うことができる。よって、食器洗浄機３００に対する被洗浄物の出し入れの手間を削減することができるとともに、使用者の身体への負担を軽減することができる。
【００２４】
シンク２１０の内部に水切りかご１００を設置する場合は、例えば、シンク２１０の周縁に形成された段落ち部２１１に、水切りかご１００の一部を引っ掛かけて係止することができる。水切りかご１００には、段落ち部２１１に引っ掛かけるための係止片が設けられていてもよい。また、水切りかご１００をシンク２１０の内部に置いて使用してもよい。
【００２５】
図２は、実施形態に係る水切りかごを模式的に表す斜視図である。  
図２に表したように、水切りかご１００は、かご部１０と、取っ手部５０と、を備えている。水切りかご１００は、上面部に開口を有しており、この開口を通して食器や調理器具などの被洗浄物を出し入れすることができる。
【００２６】
かご部１０は、長手方向に延びている。かご部１０は、かご本体１５と、かご本体１５の上方に設けられた上部フレーム３０と、を有する。かご本体１５は、長手方向に延びた底面部１１と、底面部１１の長手方向の一対の外縁のそれぞれに設けられた一対の第１側面部１２（１２ａ及び１２ｂ）と、底面部１１の短手方向の一対の外縁のそれぞれに設けられた一対の第２側面部１３（１３ａ及び１３ｂ）と、を有する。この例では、長手方向は前後方向であり、短手方向は左右方向である。
【００２７】
かご部１０は、かご部１０の内部に収納された被洗浄物から垂れた水をかご部１０の下方に通過させ、水を切ることができる。かご部１０は、例えば、外周フレーム２０と、第１線材２１と、第２線材２２と、を有する網かごである。この例では、かご本体１５が、外周フレーム２０と、第１線材２１と、第２線材２２と、を有する。
【００２８】
かご部１０がこのような網かごであれば、水切れがよく、例えば、水切りかご１００を食器洗浄機３００で使用した際に、全方向から洗浄することが可能であるため、使い勝手が良い。また、かご部１０を網かご状にすることにより、例えば、水切りかご１００を食器洗浄機３００で使用した際に、洗浄水などがかご部１０で遮られてしまうことを抑制し、被洗浄物の洗浄性を高めることもできる。但し、かご部１０の構成は、線材を用いた網かご状に限ることなく、例えば、複数の開口が設けられた開口板状の構成や、メッシュ状の構成などでもよい。かご部１０の構成は、被洗浄物などの水を切ることが可能な任意の構成でよい。
【００２９】
外周フレーム２０は、かご本体１５の左右方向及び前後方向の外周部分となるフレームである。外周フレーム２０は、例えば、ステンレス製の線材である。この例では、上下方向に略平行に並ぶように、外周フレーム２０ａ及び外周フレーム２０ｂが設けられている。外周フレーム２０の数は、任意の数とすることができる。
【００３０】
外周フレーム２０は、一対の第１側面部１２及び一対の第２側面部１３に設けられている。外周フレーム２０は、一対の第１側面部１２において前後方向に延びる部分と、一対の第２側面部１３において左右方向に延びる部分と、を含む。外周フレーム２０の形状は、上面視において、例えば、略長方形状である。
【００３１】
第１線材２１は、かご本体１５の下方向及び左右方向の外周部分となるフレームである。第１線材２１は、例えば、ステンレス製の線材である。この例では、前後方向に略平行に並ぶように、第１線材２１ａ、２１ｂ、２１ｃ、２１ｄ、２１ｅ、及び２１ｆが設けられている。第１線材２１の数は、任意の数とすることができる。
【００３２】
第１線材２１は、底面部１１及び一対の第１側面部１２に設けられている。第１線材２１は、一対の第１側面部１２において上下方向に延びる部分と、底面部１１において左右方向に延びる部分と、を含む。第１線材２１は、一対の第１側面部１２において、外周フレーム２０に略直交している。
【００３３】
第２線材２２は、かご本体１５の下方向及び前後方向の外周部分となるフレームである。第２線材２２は、例えば、ステンレス製の線材である。この例では、左右方向に略平行に並ぶように、第２線材２２ａ、２２ｂ、２２ｃ、２２ｄ、及び２２ｅが設けられている。第２線材２２の数は、任意の数とすることができる。
【００３４】
第２線材２２は、底面部１１及び一対の第２側面部１３に設けられている。第２線材２２は、一対の第２側面部１３において上下方向に延びる部分と、底面部１１において前後方向に延びる部分と、を含む。第２線材２２は、一対の第２側面部１３において、外周フレーム２０に略直交している。第２線材２２は、底面部１１において、第１線材２１に略直交している。
【００３５】
この例では、第２線材２２に、突出部４０が設けられている。このような突出部４０を設けることで、食器や調理器具などの被洗浄物を収納する際に、被洗浄物を起立した状態で支持することができるため、水切りかご１００の収納空間を有効活用できる。また、被洗浄物を収納したまま水切りかご１００を持ち運ぶ場合にも、被洗浄物が動きづらいため、使い勝手が良い。突出部４０は、第１線材２１に設けられていてもよい。
【００３６】
かご部１０は、上部フレーム３０を備える。上部フレーム３０は、例えば、ステンレス製の線材である。上部フレーム３０は、上記のかご本体１５の上方に設けられている。上部フレーム３０は、一対の第１側面部１２のそれぞれの上方に設けられ、一対の第１側面部１２に沿って延びる一対の延在部３１（３１ａ及び３１ｂ）を有する。一対の延在部３１は、必要に応じて設けられ、省略可能である。
【００３７】
一対の延在部３１は、一対の第１部分３２（３２ａ及び３２ｂ）と、一対の第２部分３３（３３ａ及び３３ｂ）と、を有する。一対の第１部分３２は、一対の第１側面部１２の一端側（前方側）の上方に設けられている。一対の第２部分３３は、一対の第１側面部１２の他端側（後方側）の上方に設けられている。一対の第２部分３３は、一対の第１部分３２と離間している。
【００３８】
上部フレーム３０は、一対の第２側面部１３に沿う一対の延在部を有していてもよい。この場合、一対の延在部は、一対の第２側面部１３の一端側（例えば、左側方側）の上方に設けられた一対の第１部分と、一対の第２側面部１３の他端側（例えば、右側方側）の上方に設けられ、一対の第１部分と離間した一対の第２部分と、を有していてもよい。
【００３９】
上部フレーム３０は、一対の第１側面部１２に沿う面において、下方向に延びる一対の第３部分３４（３４ａ及び３４ｂ）及び一対の第４部分３５（３５ａ及び３５ｂ）を有する。一対の第３部分３４は、一対の延在部３１の一対の第１部分３２と接続されている。一対の第４部分３５は、一対の延在部３１の一対の第２部分３３と接続されている。
【００４０】
この例では、上部フレーム３０は、前方側の上部フレーム３０ａ、及び、後方側の上部フレーム３０ｂに分かれて設けられている。取っ手部５０の前後方向に延びる部分と重なる位置には、上部フレーム３０（延在部３１）は設けられていない。
【００４１】
上部フレーム３０は、かご本体１５と接続されている。この例では、上部フレーム３０は、かご本体１５の第１線材２１ａ及び２１ｆと接続されている。また、上部フレーム３０の一対の第３部分３４及び一対の第４部分３５は、かご本体１５の外周フレーム２０ａと接続されている。上部フレーム３０は、第２線材２２と接続されていてもよい。
【００４２】
上部フレーム３０の前後方向の端部は、上面視において、外周フレーム２０の前後方向の端部（一対の第２側面部１３）よりも外側に位置している。換言すれば、かご本体１５に対して、上部フレーム３０が前後方向にせり出している。このような構造とすることで、上部フレーム３０の前後方向の端部を上記の係止片として利用することができる。この係止片によって、例えば、シンク２１０の周縁に水切りかご１００を引っ掛けて、水切りかご１００を使用することができる。また、この例では、前後方向にせり出した上部フレーム３０の一部が、内側及び下方に湾曲している。このような構造であれば、シンク２１０内に水切りかご１００を設置した場合に、湾曲した部分をシンク２１０の周縁に当接させて、水切りかご１００の前後方向の揺れを抑制することができる。
【００４３】
実施形態に係る水切りかご１００は、把持可能な一対の取っ手部５０（５０ａ及び５０ｂ）を備える。一対の取っ手部５０は、例えば、ステンレス製の線材である。一対の取っ手部５０は、上記のかご部１０の上部に設けられている。一対の取っ手部５０は、例えば、上記の上部フレーム３０の一対の延在部３１が設けられている側面部の上方に設けられる。換言すれば、例えば、一対の延在部３１と、一対の取っ手部５０は、同じ側面部の上方に設けられる。この例では、一対の取っ手部５０は、一対の第１側面部１２の上方に設けられている。一対の取っ手部５０は、長手方向に延びている。一対の取っ手部５０は、一対の第２側面部１３の上方に設けられてもよい。一対の取っ手部５０は、一対の第１側面部１２の上方、及び、一対の第２側面部１３の上方、の両方に設けられてもよい。
【００４４】
一対の取っ手部５０は、上部フレーム３０の一対の第３部分３４及び一対の第４部分３５に上下動可能に取り付けられている。一対の取っ手部５０は、かご本体１５に取り付けられてもよい。一対の取っ手部５０の動作については、後述する。
【００４５】
図３は、実施形態に係る水切りかごを模式的に表す上面図である。  
図３に表したように、一対の取っ手部５０は、上面視において、かご部１０の上方の縁部よりも内側に位置する。かご部１０に上部フレーム３０が設けられている場合、かご部１０の上方の縁部は、上部フレーム３０である。かご部１０に上部フレームが設けられていない場合、かご部１０の上方の縁部は、かご本体１５の上方の縁部（例えば、外周フレーム２０ａ）である。また、かご本体１５の上方の一部に上部フレーム３０が設けられている場合、上部フレーム３０が設けられている部分のかご部１０の上方の縁部は上部フレーム３０であり、上部フレーム３０が設けられていない部分のかご部１０の上方の縁部はかご本体１５の上方の縁部（例えば、外周フレーム２０ａ）である。このように、かご部１０の上方の縁部は、位置によって異なっていてもよい。換言すれば、かご部１０の上方の縁部の高さは、位置によって異なっていてもよい。
【００４６】
この例では、一対の取っ手部５０は、上面視において、上部フレーム３０の一対の延在部３１よりも内側に位置する。取っ手部５０ａは、上面視において、延在部３１ａよりも内側に位置する。取っ手部５０ｂは、上面視において、延在部３１ｂよりも内側に位置する。また、一対の取っ手部５０は、上面視において、外周フレーム２０ａの前後方向に延びる部分よりも内側に位置する。この例では、一対の取っ手部５０が一対の第１側面部１２の上方に設けられているため、取っ手部５０ａと取っ手部５０ｂとの間の左右方向の距離ｄ１は、延在部３１ａと延在部３１ｂとの間の左右方向の距離ｄ２よりも短い。また、距離ｄ１は、外周フレーム２０ａの左右方向の距離よりも短い。外周フレーム２０ａの左右方向の距離は、距離ｄ２と実質的に同じである。例えば、一対の取っ手部５０が一対の第２側面部１３の上方に設けられている場合は、一対の取っ手部５０の間の前後方向の距離は、一対の第２側面部１３に沿う一対の延在部の間の前後方向の距離又は外周フレーム２０ａの前後方向の距離よりも短い。
【００４７】
この例では、一対の取っ手部５０は、内側から上部フレーム３０の一対の第３部分３４及び一対の第４部分３５に上下動可能に巻きつけられている。これにより、未使用時において、一対の取っ手部５０は、上面視において、かご部１０の上方の縁部（例えば、上部フレーム３０）よりも内側に位置する。一方で、この例では、一対の取っ手部５０は、滑らかな上下動が可能となるように、一対の第３部分３４及び一対の第４部分３５との間に隙間を設けて巻きつけられている。従って、一対の取っ手部５０は、上記の隙間の分だけ左右方向にも動かすことができる。一対の取っ手部５０は、上面視において、かご部１０の上方の縁部よりも外側に位置することも可能である。なお、一対の取っ手部５０の取付方法は、巻きつけに限ることなく、かご部１０に対して上下動可能な任意の取付方法でよい。
【００４８】
このように、実施形態に係る水切りかご１００では、一対の取っ手部５０が、上面視において、かご部１０の上方の縁部よりも内側に位置しているため、シンク２１０の内側壁に沿って水切りかご１００を設置した場合においても、上方から一対の取っ手部５０にアプローチするためのスペースがあり、水切りかご１００を持ち上げることが容易となる。従って、シンク２１０の掃除などの際に水切りかご１００を取り出しやすく、使い勝手が良い。
【００４９】
一対の取っ手部５０は、上面視において、例えば、かご部１０の上方の縁部よりも、それぞれ１０〜２０ｍｍ（例えば、１５ｍｍ）程度内側に位置する。一対の取っ手部５０がこのような位置にあれば、水切りかご１００がシンク２１０の内側壁に沿って設置されている場合でも、指を入れられる幅があるため、一対の取っ手部５０に指をかけやすい。
【００５０】
一対の取っ手部５０の長手方向に沿う長さｄ３は、例えば、上部フレーム３０の長手方向に沿う長さｄ４の３０％以上８０％以下（例えば、１５０ｍｍ以上３５０ｍｍ以下）である。このような長さであれば、一対の取っ手部５０の掴む位置を調整することができ、かご部１０内に被洗浄物を収納したまま水切りかご１００を持ち運ぶ場合などにも、水切りかご１００の重心をとりやすくすることができる。
【００５１】
一対の取っ手部５０は、例えば、一対の第１側面部１２（１２ａ及び１２ｂ）の上方に、それぞれ複数個ずつ設けられていてもよい。一対の取っ手部５０は、例えば、一対の第２側面部１３（１３ａ及び１３ｂ）の上方に、それぞれ複数個ずつ設けられていてもよい。
【００５２】
図４及び図５は、実施形態に係る水切りかごの取っ手部の動作を模式的に表す斜視図及び側面図である。  
図４及び図５に表したように、一対の取っ手部５０は、上部フレーム３０の一対の第３部分３４及び一対の第４部分３５に上下動可能に取り付けられており、一対の第３部分３４及び一対の第４部分３５を摺動することで略垂直方向に上下動することができる。なお、一対の取っ手部５０が上下動するとき、一対の取っ手部５０のかご部１０への取付部分（例えば、一対の取っ手部５０の巻きつけている部分）も上下動する。図２は、一対の取っ手部５０が下がっている状態であり、未使用時の一対の取っ手部５０の位置を表している。これに対し、図４は、一対の取っ手部５０が上がっている状態であり、使用時の一対の取っ手部５０の位置を表している。未使用時において、一対の取っ手部５０は、例えば、かご部１０の上方の縁部の上端（例えば、上部フレーム３０の一対の延在部３１）と同じ高さ（面一）、又は、かご部１０の上方の縁部の上端よりも低い位置に設けられる。一方、一対の取っ手部５０が上がった状態では、一対の取っ手部５０の上端は、かご部１０の上方の縁部の上端よりも上方に位置する。
【００５３】
一対の取っ手部５０の上下動の幅は、例えば、２０ｍｍ以上１００ｍｍ以下である。
【００５４】
このように一対の取っ手部５０が上下動する構造であれば、水切りかご１００を持ち運びした際に目的の場所へ設置しやすくすることができる。一対の取っ手部５０を掴む際に、水切りかご１００の内部に収納されている食器類に手が触れ、持ち運びしにくくなることを抑制できる。また、一対の取っ手部５０が上下動する構造であれば、例えば一対の取っ手部５０が大きく回動する構造などと比べて、食器などを収納した際に一対の取っ手部５０を取り出しやすくすることができる。さらに、一対の取っ手部５０が上下動する構造であれば、一対の取っ手部５０の動作に必要な空間も少ないため、水切りかご１００の収納空間を有効活用することができる。
【００５５】
また、水切りかご１００を食器洗浄機３００で使用する際には、通常、被洗浄物がかご部１０の上方の縁部の上端（例えば、上部フレーム３０の一対の延在部３１）を越えないように、被洗浄物を配置する。このとき、一対の取っ手部５０が上下動する構造であれば、一対の取っ手部５０を上部フレーム３０の一対の延在部３１よりも上まで動かすことができるため、一対の延在部３１の高さまで被洗浄物を収納したとしても、一対の取っ手部５０を上まで動かせば、一対の取っ手部５０を掴むための空間を確保できる。従って、食器洗浄機３００で使用する場合にも、食器洗浄機３００から出し入れしやすく、使い勝手が良い。また、一対の取っ手部５０を使用者などが把持していない状態では、一対の取っ手部５０が上部フレーム３０よりも下方に位置するため、水切りかご１００を食器洗浄機３００の洗浄槽３０３内に収納する際に、一対の取っ手部５０が洗浄槽３０３の天井面に当接してしまうことを抑制することができる。従って、洗浄槽３０３の上部に無駄な空間ができてしまうことを抑制し、洗浄槽３０３の内部の空間を有効活用することもできる。
【００５６】
すでに説明したように、未使用時において、一対の取っ手部５０は、かご部１０の上方の縁部の上端（例えば、上部フレーム３０の一対の延在部３１）の高さ以下になるように設けられる。未使用時の一対の取っ手部５０の高さがこのような位置であれば、少なくとも一対の取っ手部５０を使用していないときには、水切りかご１００から一対の取っ手部５０が突出しない。これにより、例えば、食器類などを水切りかご１００に収納する際の作業動線に一対の取っ手部５０が来ることを抑制できる。また、水切りかご１００の上面部を平坦にすることができるため、水切りかご１００の上にまな板等を置くことも可能である。また、一対の取っ手部５０が突出していないため、意匠面も向上する。
【００５７】
また、図２〜図５に表されるように、上部フレーム３０の一対の延在部３１の一部である一対の第１部分３２及び一対の第２部分３３は、かご本体１５の上端よりも上に位置している。そして、一対の取っ手部５０は、一対の延在部３１が延びる方向（この例では、前後方向）において、一対の第１部分３２と一対の第２部分３３との間に位置する。一対の取っ手部５０の可動領域においては、上部フレーム３０が取り除かれている。このようにすることで、一対の取っ手部５０を上方まで上げる際に、上部フレーム３０が邪魔になりにくい。また、上部フレーム３０がないことで、一対の取っ手部５０を把持する際に、指を入れるスペースを広くとることができる。
【００５８】
図２〜図５に示されるように、水切りかご１００は、かご本体１５の下に設けられた脚部６０を備える。脚部６０は、例えば、ステンレス製の線材である。この例では、脚部６０は、第１線材２１（第１線材２１ａ及び２１ｆ）の下に、第１線材２１と略平行に設けられている。脚部６０は、例えば、左右方向に延びるフラット形状である。
【００５９】
脚部６０を設けることで、例えば、水切りかご１００をシンク２１０の内部に直接置く場合に、シンク２１０とかご本体１５の底面部１１との間に空間を設けることができる。これにより、かご本体１５の底面部１１がシンク２１０に直接触れないようにすることができ、かご部１０内に収納した食器類などにシンク２１０ではねた水がかかることを抑制できる。また、かご部１０内に収納した食器類の一部が、かご本体１５の底面部１１よりも下に出ている場合に、水切りかご１００をシンク２１０の内部に直接置いても、食器類がシンク２１０に触れて動くことを抑制できる。
【００６０】
また、水切りかご１００を食器洗浄機３００の内部に収納するとき、水切りかご１００を食器洗浄機３００の内部に設けられた網かごに載置する場合がある。このとき、例えば、脚部６０の左右方向の長さが食器洗浄機３００の内部に設けられた網かごの網目よりも大きければ、脚部６０が食器洗浄機３００の内部に設けられた網かごの網目には落ち込むことを抑制できる。従って、水切りかご１００を安定して食器洗浄機３００の内部に載置することができる。脚部６０の左右方向の長さは、例えば、かご部１０（かご本体１５）の左右方向の長さと同程度である。
【００６１】
図６は、実施形態に係る水切りかごの変形例を模式的に表す斜視図である。  
なお、上記実施形態と機能・構成上実質的に同じものについては、同符号を付し、詳細な説明は省略する。  
図６に表したように、この例では、一対の取っ手部５０は、かご本体１５の第１線材２１ｂ及び２１ｅに上下動可能に接続されている（巻きつけられている）。一対の取っ手部５０は、第１線材２１ｂ及び２１ｅを摺動することで略垂直方向に上下動することができる。図６では、取っ手部５０ａは上がっている（使用時の）状態であり、取っ手部５０ｂは下がっている（未使用時の）状態である。また、この例では、上部フレーム３０は、連続する１つの部材であり、かご本体１５の第１線材２１ａ、２１ｂ、２１ｅ、及び２１ｆと接続されている。
【００６２】
図７は、実施形態に係る水切りかごの変形例を模式的に表す斜視図である。  
図７に表したように、この例では、一対の取っ手部５０は、上部フレーム３０の一対の延在部３１に上下動しないように接続されている。この例では、一対の取っ手部５０が上下動しないため、使用時も未使用時も一対の取っ手部５０の位置は変わらない。一対の取っ手部５０は、上部フレーム３０の一対の延在部３１の高さ以下になるように設けられている。また、この例では、上部フレーム３０は、かご本体１５の第１線材２１ａ、２１ｂ、２１ｅ、及び２１ｆと接続されている。
【００６３】
これらの変形例においても、一対の取っ手部５０が、上面視において、かご部１０の上方の縁部よりも内側に位置しているため、シンク２１０内に設置した場合にも持ち運びがしやすく、使い勝手の良い水切りかご１００を提供することができる。
【００６４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、水切りかご１００などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６５】
１０ かご部、  １１ 底面部、  １２、１２ａ、１２ｂ 第１側面部、  １３、１３ａ、１３ｃ 第２側面部、１５ かご本体、  ２０、２０ａ、２０ｂ 外周フレーム、  ２１、２１ａ〜２１ｆ 第１線材、  ２２、２２ａ〜２２ｅ 第２線材、  ３０、３０ａ、３０ｂ 上部フレーム、  ３１、３１ａ、３１ｂ 延在部、  ３２、３２ａ、３２ｂ 第１部分、  ３３、３３ａ、３３ｂ 第２部分、  ３４、３４ａ、３４ｂ 第３部分、  ３５、３５ａ、３５ｂ 第４部分、  ４０ 突出部、  ５０、５０ａ、５０ｂ 取っ手部、  ６０ 脚部、  １００ 水切りかご、  ２００ カウンタ、  ２１０ シンク、  ２１１ 段落ち部、  ３００ 食器洗浄機、  ３０１ 筐体、  ３０２ 前開口部、  ３０３ 洗浄槽、  ３０４ 上開口部、  ３０５ 扉、  ５００ システムキッチン、  Ａ１、Ａ２ 矢印、  ｄ１〜ｄ４ 長さ
【図１】
2019129962.tif 000003
【図２】
2019129962.tif 000004
【図３】
2019129962.tif 000005
【図４】
2019129962.tif 000006
【図５】
2019129962.tif 000007
【図６】
2019129962.tif 000008
【図７】
2019129962.tif 000009